(57)【要約】      （修正有）【課題】リコイルスプリング機構にアジャスターを追加し、アジャスターをリコイルスプリングガイドに任意に固定できる構造とし、同じリコイルスプリングでも反発力（伸長力）を可変とすることで銃の連射サイクル・弾速等の能力を変化させられるようにした玩具銃におけるリコイルスプリングの反発力調整機構を提供する。【解決手段】銃身内に配置したピストンあるいは機関部内の可動部と銃身後部に設置したスプリングガイド１２との間に配置されたリコイルスプリング１４を備えた玩具銃において、ピストンあるいは機関部内の可動部側に設けたスプリングガイドないし銃身後部に設置したスプリングガイドの外周上にスプリングガイドの長さ方向に沿って進退可能に大径のアジャスター１３を取り付けて、リコイルスプリングと係合させることにより、アジャスターを進退させてリコイルスプリングの反発力を調整可能とした。【選択図】図１
0003209071.tif 000002
【実用新案登録請求の範囲】
【請求項１】
銃身内に配置したピストンあるいは機関部内の可動部と銃身後部に設置したスプリングガイドとの間に配置されたリコイルスプリングを備えた玩具銃において、前記ピストンあるいは機関部内の可動部側に設けたスプリングガイドないし前記銃身後部に設置したスプリングガイドの外周上に前記スプリングガイドの長さ方向に沿って進退可能に大径のアジャスターを取り付けて、前記リコイルスプリングと係合させることにより、該アジャスターを進退させて前記リコイルスプリングの反発力を調整可能としたことを特徴とする玩具銃におけるリコイルスプリングの反発力調整機構。
【請求項２】
前記スプリングガイドの長さ方向に沿って進退可能に取り付けた大径のアジャスターが、筒状でかつその内周に雌ねじを形成されており、前記スプリングガイドの外周に設けた雄ねじを該雌ねじに係合させて大径のアジャスターを進退可能としてあることを特徴とする請求項１に記載の玩具銃におけるリコイルスプリングの反発力調整機構。
【請求項３】
前記スプリングガイドの長さ方向に沿って進退可能に取り付けた大径のアジャスターが、板状でかつその内周に雌ねじを形成されており、前記スプリングガイドの外周に設けた雄ねじを該雌ねじに係合させて大径のアジャスターを進退可能としてあることを特徴とする請求項１に記載の玩具銃におけるリコイルスプリングの反発力調整機構。
【請求項４】
前記スプリングガイドの長さ方向に沿って進退可能に取り付けた大径のアジャスターが、適宜間隔でその長さ方向に沿って複数のピン孔またはねじ孔が形成されており、前記スプリングガイドに設けた位置決め孔と前記大径のアジャスターの複数のピン孔またはねじ孔のいずれかの孔に止ピンまたは止ねじを挿通させることにより、大径のアジャスターを進退可能としてあることを特徴とする請求項１に記載の玩具銃におけるリコイルスプリングの反発力調整機構。
【請求項５】
前記スプリングガイドの長さ方向に沿って進退可能に取り付けた大径のアジャスターの複数のピン孔またはねじ孔が、大径のアジャスターの全周に適宜形成されており、前記スプリングガイドに設けた位置決め孔と前記大径のアジャスターの複数のピン孔またはねじ孔のいずれかの孔に止ピンまたは止ねじを挿通させることにより、大径のアジャスターをより細かく進退可能としてあることを特徴とする請求項４に記載の玩具銃におけるリコイルスプリングの反発力調整機構。
【請求項６】
銃身内に配置したピストンあるいは機関部内の可動部と銃身後部に設置したスプリングガイドとの間に配置されたリコイルスプリングを備えた玩具銃において、前記ピストンあるいは機関部内の可動部側に設けたスプリングガイドないし前記銃身後部に設置したスプリングガイドの端部に筒状アジャスターを取り付け、前記筒状アジャスターの長さ方向に沿って進退可能にガイドベースを前記ピストンあるいは機関部内の可動部もしくは銃身後部に取り付けて、前記筒状アジャスターを前記リコイルスプリングと係合させることにより、該アジャスターを進退させて前記リコイルスプリングの反発力を調整可能としたことを特徴とする玩具銃におけるリコイルスプリングの反発力調整機構。
【請求項７】
銃身内に配置したピストンあるいは機関部内の可動部と銃身後部に設置したスプリングガイドとの間に配置されたリコイルスプリングを備えた玩具銃において、前記銃身後部に設置したスプリングガイドの背後に所定長さのスペーサーまたは押圧ねじを着脱可能に取り付けた上、前記スプリングガイドを前記リコイルスプリングと係合させることにより、異なる長さの前記スペーサーまたは押圧ねじを適宜取り替えて前記リコイルスプリングの反発力を調整可能としたことを特徴とする玩具銃におけるリコイルスプリングの反発力調整機構。
【考案の詳細な説明】
【技術分野】
【０００１】
この考案は、空気等の気体を圧縮して排気することにより弾丸を発射するピストン装置を持ち、そのピストン部分の動作によって実銃における発射（連射・単射もしくはモデルガンにおいては疑似発射）が体験できるようにした玩具銃に関するものである。
【背景技術】
【０００２】
＜従来技術の課題と本件考案の有用性＞
従来の玩具銃（モデルガン、ガス式ブローバックエアガン、手動および電動式エアコッキングガン）において、リコイルスプリングの仕様は、メーカーが設定した仕様に限定（固定化）されており、ユーザーはその仕様において楽しむしかなかった。
前記リコイルスプリングの存在意義は、玩具銃の連射サイクルやエアガンにおける弾速を決定付ける重要な部品であり、メーカーの設定・開発意図が必ずしもユーザーの希望と合致するとは限らず、希望と不一致の場合は、その製品に対する『物足りなさ』につながっていた。
例えば玩具銃の連射サイクルひとつを上げても「実銃と同じ連射サイクルとする方がリアリティがある」、「実銃と同じでは、反動が小さい分だけ次弾発射まで間のびして感じるから、実銃よりも少し速いほうが良い」、「とにかく速いサイクルで弾数を多く発射したい」、あるいは逆に「発射時の反動や銃本体の震動によって狙点がずれ、標的から外れるムダ弾を射ってしまうことをなくしたい。そのためには連射サイクルは少し遅いほうがコントロールしやすい」等々である。
この相反する課題の解決を求めるユーザーの嗜好に、たった１本のリコイルスプリングで対応することはできない。それらの意見の中から多数派と思われる、最大公約数的性能を実現するためにメーカーは１本のリコイルスプリングの仕様を決定している現実がある。
【０００３】
このようなメーカーの仕様に満足できないユーザーは、希望に近づく別仕様のリコイルスプリングを買い求めるしかなく、大半の場合はその別売品すら市場に存在しないことのほうが多い。つまりユーザーが抱いた『物足りなさ』は解消されないという実態が現状といえる。
そこで、リコイルスプリングの能力を可変とすることができる、新たなコンセプトのものが完成すれば、従来品における『物足りなさ』に不満を持つユーザーに対し、新局面での展開や楽しみ方を提唱することができる。
すなわち、
〇連射サイクルの可変…前述のような個々のユーザーの希望に合致させることができる。
〇弾速の可変…弾速の変化は集弾性・飛距離に影響をもたらす。この集弾性・飛距離は弾速が上がれば良くなるというものではない。使用するＢＢ弾の重量とベストマッチの弾速というものがある。例えば、軽量弾を高速で発射すると空気抵抗も大きく、悪影響が生ずる。ピンポン玉を思い切り投げると勝手に曲がり、目的の所に届かない症状に似た現象が現れる。つまり弾速を上げすぎると集弾性能は低下する。このように使用するＢＢ弾・集弾性能・弾速は、無視できない因果関係があり、そういった知識を持つハイエンドユーザーにとっては大きな魅力となる。
〇ガス式ブローバックエアガンにおける性能の安定…周辺気温の高低がガス圧に大きな影響をもたらすガス式ブローバックエアガンは、「気化冷却」によるガス圧の低下が性能を著しく低下させる。それを改善するためにはガスタンク付近の冷えを解消するのが最も有効となるが、作動不良につながる構造上の負荷を軽減するのも解決策のひとつとなる。リコイルスプリングの場合、それが可変となることで、作動抵抗を少なくすることができる。作動不良発生率を低くするにも有用な構造といえる。
【０００４】
従来技術では、ピストンを作動させるリコイルスプリングの強さ・反発力等の仕様によってその能力が決定し、固定化される。よってその性能を変更したい時には別のもっと強い、あるいは弱いリコイルスプリングと交換しなければならない。
なお、ユーザーがリコイルスプリング（電動エアコッキングガンにおいては通例ピストンスプリングと称される）の能力を変更したい場合、従来は、ワッシャー等のスペーサーを入れて強くする。またはスプリング自体をカットして弱くするという手法が用いられてきた。しかし、もともとメーカーの設計段階で、そういった使用法への配慮がないため、構造上、能力変更には限界があったのである。
以上のように、従来モデルではリコイルスプリング（またはピストンスプリング）の圧縮・復元力は固定化されており、その能力を変化させうる部材を付加させることはなかった。
【０００５】
従来のエア圧縮式の手動もしくは電動式エアコッキングガンの模式図を図１６に示す。
図１６の例においては、リコイルスプリング（またはピストンスプリング）１０１はシリンダー１０２内に進退可能に保持されたピストン１０３と銃身後部に設置したスプリングガイド１０４との間に伸縮自在に取り付けられている。
以上の従来モデルにおけるリコイルスプリング（またはピストンスプリング）１０１の圧縮・復元力は固定化されている。
これに対し、図１７のように銃身の後部に設けた空間２０２を利用してリコイルスプリング（またはピストンスプリング）２０１を配した例であるが、この場合でもリコイルスプリング（またはピストンスプリング）の能力を可変とする機能は付加されていない。
【先行技術文献】
【特許文献】
【０００６】
【特許文献１】特開２０１４−１４９１３２号公報
【特許文献２】特開２０１２−１２２７０２号公報
【特許文献３】実用新案登録第３１７５３４１号公報
【特許文献４】実用新案登録第３０６１９２５号公報
【特許文献４】実用新案登録第３０５２１６０号公報
【考案の開示】
【考案が解決しようとする課題】
【０００７】
前記課題を解決するため、本件考案ではリコイルスプリング機構にアジャスターないしスペーサーを追加した。そのアジャスターないしスペーサーをリコイルスプリングのスプリングガイドに任意に固定できる構造とし、同じリコイルスプリングでも反発力（伸長力）を可変とすることで銃の連射サイクル・弾速等の能力を変化させることができるのである。
【課題を解決するための手段】
【０００８】
すなわち本考案の玩具銃におけるリコイルスプリングの反発力調整機構は、銃身内に配置したピストンあるいは機関部内の可動部と銃身後部に設置したスプリングガイドとの間に配置されたリコイルスプリングを備えた玩具銃において、前記ピストンあるいは機関部内の可動部側に設けたスプリングガイドないし前記銃身後部に設置したスプリングガイドの外周上に前記スプリングガイドの長さ方向に沿って進退可能に大径のアジャスターを取り付けて、前記リコイルスプリングと係合させることにより、該アジャスターを進退させて前記リコイルスプリングの反発力を調整可能としたことを特徴とするものである。
【０００９】
本考案の玩具銃におけるリコイルスプリングの反発力調整機構において、前記スプリングガイドの長さ方向に沿って進退可能に取り付けた大径のアジャスターが、筒状でかつその内周に雌ねじを形成されており、前記スプリングガイドの外周に設けた雄ねじを該雌ねじに係合させて大径のアジャスターを進退可能としてあることをも特徴とするものである。
【００１０】
本考案の玩具銃におけるリコイルスプリングの反発力調整機構において、前記スプリングガイドの長さ方向に沿って進退可能に取り付けた大径のアジャスターが、板状でかつその内周に雌ねじを形成されており、前記スプリングガイドの外周に設けた雄ねじを該雌ねじに係合させて大径のアジャスターを進退可能としてあることをも特徴とするものである。
【００１１】
本考案の玩具銃におけるリコイルスプリングの反発力調整機構において、前記スプリングガイドの長さ方向に沿って進退可能に取り付けた大径のアジャスターが、適宜間隔でその長さ方向に沿って複数のピン孔またはねじ孔が形成されており、前記スプリングガイドに設けた位置決め孔と前記大径のアジャスターの複数のピン孔またはねじ孔のいずれかの孔に止ピンまたは止ねじを挿通させることにより、大径のアジャスターを進退可能としてあることをも特徴とするものである。
【００１２】
本考案の玩具銃におけるリコイルスプリングの反発力調整機構において、前記スプリングガイドの長さ方向に沿って進退可能に取り付けた大径のアジャスターの複数のピン孔またはねじ孔が、大径のアジャスターの全周に適宜形成されており、前記スプリングガイドに設けた位置決め孔と前記大径のアジャスターの複数のピン孔またはねじ孔のいずれかの孔に止ピンまたは止ねじを挿通させることにより、大径のアジャスターをより細かく進退可能としてあることをも特徴とするものである。
【００１３】
本考案の玩具銃におけるリコイルスプリングの反発力調整機構は、銃身内に配置したピストンあるいは機関部内の可動部と銃身後部に設置したスプリングガイドとの間に配置されたリコイルスプリングを備えた玩具銃において、前記ピストンあるいは機関部内の可動部側に設けたスプリングガイドないし前記銃身後部に設置したスプリングガイドの端部に筒状アジャスターを取り付け、前記筒状アジャスターの長さ方向に沿って進退可能にガイドベースを前記ピストンあるいは機関部内の可動部もしくは銃身後部に取り付けて、前記筒状アジャスターを前記リコイルスプリングと係合させることにより、該アジャスターを進退させて前記リコイルスプリングの反発力を調整可能としたことを特徴とするものである。
【００１４】
本考案の玩具銃におけるリコイルスプリングの反発力調整機構は、銃身内に配置したピストンあるいは機関部内の可動部と銃身後部に設置したスプリングガイドとの間に配置されたリコイルスプリングを備えた玩具銃において、前記銃身後部に設置したスプリングガイドの背後に所定長さのスペーサーを着脱可能に取り付けた上、前記スプリングガイドを前記リコイルスプリングと係合させることにより、異なる長さの前記スペーサーを適宜取り替えて前記リコイルスプリングの反発力を調整可能としたことを特徴とするものである。
【００１５】
以上のように、アジャスターの位置を後退させたり、スペーサーでスプリングガイドの位置を後退させるとリコイルスプリングの反発力は弱くなる。それによりピストンの前進スピードも弱まり、シリンダー内の空気を銃身に送り出す流速も弱まる。したがって弾速が遅くなる。
それと同時にピストンを後退させるときには、リコイルスプリングを圧縮させる力も少なくてすむ。したがって、同じ力で後退させるとすると、後退スピードは速くなるため、発射サイクルが早くなる。
他方、アジャスターの位置を前進させたり、スペーサーでスプリングガイドの位置を前進させるとリコイルスプリングはその分圧縮されたところから、一連の作動が始まる。ピストンの前進スピードはリコイルスプリングの反発力増加により速くなり、シリンダー内の空気を銃身に送り出す流速も速くなるため、弾速も速まる。
それと同時に、ピストンを後退させる時の抵抗はリコイルスプリングが圧縮された分だけ大きくなり、その結果として一連の発射サイクルは遅くなる。
以上のことから単射ではその差異は判りにくいが、連射させた時は顕著となる。なおこのアジャスターやスペーサーはリコイルスプリングを使用するすべての玩具銃、例えばガス式ブローバックエアガン、モデルガン類にも応用可能となる。
【考案の効果】
【００１６】
本考案の玩具銃におけるリコイルスプリングの反発力調整機構は以上のように構成されたものであり、リコイルスプリングの前端あるいは後端部分にアジャスターを設置してその位置を変えたり、銃身後部にスペーサーを付設してスプリングガイドの位置を変えることでリコイルスプリングを押圧する力を可変とすることとした。
それによって、シリンダーの前進スピードにも変化を与え、結果として弾速やシリンダーの前進・後退のサイクルを可変とすることにつながるのである。
このように、発射サイクルの変化、弾速の変化、ひいては集弾性の向上など、従来製品ではできなかったユーザーのニーズに合致した製品への調整が、ユーザー自身にも可能となる。
【図面の簡単な説明】
【００１７】
【図１】本考案に係る玩具銃におけるリコイルスプリングの反発力調整機構の第１実施例を示し、（ａ）はその側面図、（ｂ）はその正面図、（ｃ）はＡ−Ａ’断面図である。
【図２】本考案に係る玩具銃におけるリコイルスプリングの反発力調整機構の第２実施例を示し、（ａ）はその側面図、（ｂ）はその正面図、（ｃ）はＡ−Ａ’断面図である。
【図３】本考案に係る玩具銃におけるリコイルスプリングの反発力調整機構の第３実施例を示し、（ａ）はその平面図、（ｂ）はその側面図、（ｃ）はその正面図、（ｄ）はＡ−Ａ’断面図である。
【図４】本考案に係る玩具銃におけるリコイルスプリングの反発力調整機構の第３実施例を改変した変形例を示し、（ａ）はその側面図、（ｂ）はその正面図、（ｃ）はその斜視図である。
【図５】本考案に係る玩具銃におけるリコイルスプリングの反発力調整機構の第４実施例を示し、（ａ）はその側面図、（ｂ）はその正面図、（ｃ）はＡ−Ａ’断面図である。
【図６】図５に示す第４実施例において、（ａ）はスプリングガイドを後退させた状態の側面図、（ｂ）はその正面図、（ｃ）はＡ−Ａ’断面図である。
【図７】図５に示す第４実施例において、（ａ）はスプリングガイドを前進させた状態の側面図、（ｂ）はその正面図、（ｃ）はＡ−Ａ’断面図である。
【図８】図５に示す第４実施例において、（ａ）はスプリングガイドを前進させてガイドベースと分離した状態の側面図、（ｂ）はその正面図、（ｃ）はＡ−Ａ’断面図である。
【図９】本考案に係る玩具銃におけるリコイルスプリングの反発力調整機構の第５実施例を示し、アジャスターをピストン側に設けた場合の要部断面図である。
【図１０】図９における第５実施例において、アジャスターを後退させた場合の要部断面図である。
【図１１】本考案に係る玩具銃におけるリコイルスプリングの反発力調整機構の第６実施例を示し、ガスブローバックガン、モデルガンへ装着した場合の要部断面図である。
【図１２】本考案に係る玩具銃におけるリコイルスプリングの反発力調整機構の第４実施例において銃内部に配置した状態を示し、銃身の後部に設けた空間を利用してリコイルスプリング（またはピストンスプリング）を保持するスプリングガイドの背後にガイドベースまたはスペーサーを設けた例を示す概略断面図である。
【図１３】図１２のリコイルスプリング（またはピストンスプリング）を圧縮してピストンを後退させた場合を示す概略断面図である。
【図１４】図１２のスペーサーを短くする、あるいはアジャスターを後退させることによりスプリングガイドを後退させた場合について示す概略断面図である。
【図１５】図１４のリコイルスプリング（またはピストンスプリング）を圧縮してピストンを後退させた場合を示す概略断面図である。
【図１６】従来のエア圧縮式の手動もしくは電動式エアコッキングガンの模式図を示す概略断面図である。
【図１７】銃身の後部に設けた空間を利用して部品を配した例を示す概略断面図である。
【考案を実施するための形態】
【００１８】
以下本考案の玩具銃におけるリコイルスプリングの反発力調整機構の第１実施例を図１（ａ），（ｂ），（ｃ）に示す。
本実施例における玩具銃におけるリコイルスプリングの反発力調整機構１１は、図１２等に示す銃身内に配置したピストンあるいは機関部内の可動部と銃身後部に配置したスプリングガイドとの間に配置されたリコイルスプリングを備えた玩具銃に適用される。本実施例以下ではピストンと銃身後部に配置したスプリングガイドとの間にリコイルスプリングを配置した場合について説明する。
すなわち、スプリングガイド１２の外周上に該スプリングガイド１２の長さ方向に沿って進退可能に大径の筒状アジャスター１３を取り付けて、その前端にリコイルスプリング１４と係合させている。これにより該筒状アジャスター１３を進退させれば、前記リコイルスプリング１４の反発力を調整することができる。
なお本実施例では、前記スプリングガイド１２の外周に適宜の幅で雄ねじ部１２ａを形成し、他方前記筒状アジャスター１３の内周面には雌ねじ部１３ａを形成して組み付け、前記筒状アジャスター１３を回すことにより該筒状アジャスター１３を進退させることができるようになっている。
【００１９】
以上のように、アジャスター１３の位置を後退させるとリコイルスプリング１４の反発力は弱くなる。それによりピストンの前進スピードも弱まり、シリンダー内の空気を銃身に送り出す流速も弱まる。したがって弾速が遅くなる。
それと同時にピストンを後退させるときには、リコイルスプリング１４を圧縮させる力も少なくてすむ。したがって、同じ力で後退させるとすると、後退スピードは速くなるため、発射サイクルが早くなる。
他方、アジャスター１３の位置を前進させるとリコイルスプリング１４はその分圧縮されたところから、一連の作動が始まる。したがってピストンの前進スピードはリコイルスプリング１４の反発力増加により速くなり、シリンダー内の空気を銃身に送り出す流速も速くなるため、弾速も速まる。
それと同時に、ピストンを後退させる時の抵抗はリコイルスプリング１４が圧縮された分だけ大きくなり、その結果として一連の発射サイクルは遅くなる。
以上のことから単射ではその差異は判りにくいが、連射させた時は顕著となる。なおこのアジャスター１３はリコイルスプリング１４を使用するすべての玩具銃、例えばガス式ブローバックエアガン、モデルガン類にも応用可能となる。
【００２０】
本考案の玩具銃におけるリコイルスプリングの反発力調整機構の第２実施例を図２（ａ），（ｂ），（ｃ）に示す。
本実施例の玩具銃におけるリコイルスプリングの反発力調整機構２１では、ピストン（図示省略）内部に設置したスプリングガイド２２の長さ方向に沿って進退可能に取り付けた大径のアジャスター２３が、板状でかつその内周に雌ねじ２３ａを形成されており、前記スプリングガイド２２の外周に設けた雄ねじ２２ａを該雌ねじ２３ａに係合させて大径の板状アジャスター２３を進退可能としてある。
本実施例では前記スプリングガイド２２の外周上に大きなスペースを確保することができ、リコイルスプリング２４の反発力の調整幅をより大きくとることができる。
【００２１】
本考案の玩具銃におけるリコイルスプリングの反発力調整機構の第３実施例を図３（ａ），（ｂ），（ｃ），（ｄ）に示す。
本実施例の玩具銃におけるリコイルスプリングの反発力調整機構３１では、スプリングガイド３２の長さ方向に沿って進退可能に取り付けた大径の筒状アジャスター３３が、適宜間隔でその長さ方向に沿って複数のピン孔３３ａを形成されており、また前記スプリングガイド３２には位置決め孔３２ａが貫通して形成されている。
この位置決め孔３２ａと前記大径の筒状アジャスター３３の複数のピン孔３３ａのいずれかのピン孔３３ａに止ピン３４もしくは止ねじ３４ａを挿通させることにより、大径の筒状アジャスター３３を進退可能としてある。
本実施例では前記スプリングガイド３２の外周上に取り付けた筒状アジャスター３３の位置決めをゆるみの心配なく確実に行うことができ、リコイルスプリング３５の反発力が使用中に弱まることを防止することができる。
【００２２】
本考案の玩具銃におけるリコイルスプリングの反発力調整機構の第３実施例の変形例を図４（ａ），（ｂ），（ｃ）に示す。
本実施例の玩具銃におけるリコイルスプリングの反発力調整機構４１は、スプリングガイド４２の長さ方向に沿って進退可能に取り付けた大径の筒状アジャスター４３の複数のピン孔もしくはねじ孔４３ａが、大径の筒状アジャスター４３の全周に適宜形成されており、前記スプリングガイド４２に設けた位置決め孔４２ａと前記大径の筒状アジャスター４３の複数のピン孔もしくはねじ孔４３ａのいずれかの孔に止ピン４４もしくは止ねじ４４ａを挿通させることにより、大径の筒状アジャスター４３をより細かく進退させることができる。
【００２３】
本考案の玩具銃におけるリコイルスプリングの反発力調整機構の第４実施例を図５（ａ），（ｂ），（ｃ）に示す。
本実施例の玩具銃におけるリコイルスプリングの反発力調整機構５１は、図１２等に示す銃身内に配置したピストンと銃身後部に配置した棒状のスプリングガイドとの間に配置されたリコイルスプリングを備えた玩具銃に適用される。
すなわち、前記スプリングガイド５２の後部に筒状アジャスター５３を設け、前記筒状アジャスター５３の長さ方向に沿って進退可能にガイドベース５４を銃身後部に取り付けてある。そして筒状アジャスター５３の内周面には雌ねじ部５３ａが、またガイドベース５４の外周上には雄ねじ部５４ａがそれぞれ形成されていて、両者を係合させることにより前記スプリングガイド５２をガイドベース５４に対して進退させることができる。
図６（ａ），（ｂ），（ｃ）は、前記スプリングガイド５２に対してガイドベース５４を前進させた状態を示し、図７（ａ），（ｂ），（ｃ）は、前記スプリングガイド５２に対してガイドベース５４を後退させた状態を示し、図８（ａ），（ｂ），（ｃ）は、前記スプリングガイド５２とガイドベース５４とを分離させた状態を示すものである。
【００２４】
本考案の玩具銃におけるリコイルスプリングの反発力調整機構の第５実施例を図９に示す。本実施例ではピストン内に配置したスプリングガイドと銃身後部に配置したスプリングガイドとの間にリコイルスプリングを配置した場合について説明する。
本実施例の玩具銃におけるリコイルスプリングの反発力調整機構６１は、図９に示す銃身６２内のシリンダー６８に配置したピストン６３内に配置した棒状のスプリングガイド６４と、銃身６２の後部に配置した副スプリングガイド６５の間に配置されたリコイルスプリング６６を備えた玩具銃に適用される。
本実施例の玩具銃におけるリコイルスプリングの反発力調整機構６１では、前記ピストン６３の内奥に棒状のスプリングガイド６４を配置し、該スプリングガイド６４の外周上にスプリングガイド６４の長さ方向に沿って進退可能に大径の板状アジャスター６７を取り付けて、前記リコイルスプリング６６と係合させている。したがって、前記板状アジャスター６７を進退させれば前記リコイルスプリング６６の反発力を調整することができる。
図９では、第２実施例の形態のリコイルスプリング反発調整機構を応用して、リコイルスプリングの前方に配した例を示している。他の第１実施例、第３実施例〜第４実施例の形態のリコイルスプリング反発調整機構も、ピストン内、つまりリコイルスプリング前方に配することが可能である。
図１０は、前記板状アジャスター６７を後退させて前記リコイルスプリング６６の反発力を高めた状態を示すものである。
【００２５】
本考案の玩具銃におけるリコイルスプリングの反発力調整機構の第６実施例を図１１に示す。
本実施例の玩具銃におけるリコイルスプリングの反発力調整機構７１は、図１１に示す銃身７２の後部に取り付けたスプリングガイド７３の外周上に配置した板状アジャスター７４と、銃身７２の前部に配置され、かつその前方の機関部Ｋ内の可動部（ボルト部）Ｂを押し出すブロック状のガイド７５との間に配置されたリコイルスプリング７６を備えた玩具銃に適用される。７８はスプリングガイド７３の後部に配置したスペーサー７９内を進退可能とした押圧ねじである。
図内には、第２実施例の形態のリコイルスプリングの反発力調整機構がすでに配されているが、代わって、第１実施例、第３実施例〜第４実施例の形態のリコイルスプリング反発調整機構を配することも可能である。
さらに、スペーサーの７９の前後長を交換によって変化させたり、押圧ねじ７８の全長を変えることでリコイルスプリングの反発力調整機構そのものの位置をも進退させることができる。このように、第１実施例、第３実施例〜第４実施例の形態の構造に「スペーサー」機構を加えることにより、外部から前記リコイルスプリング６６の反発力を細かく微調整することができる。また第１実施例、第３実施例〜第４実施例の形態のスプリングガイド部後端の一部を外部に露出させたり、スペーサーや押圧ねじと機能を連係させることで、外部からの機能調整も可能とすることができる。
【００２６】
本考案の玩具銃におけるリコイルスプリングの反発力調整機構の第４実施例の形態を装着具体例として図１２〜図１５に示す。
図１２は第４実施例に係る玩具銃におけるリコイルスプリングの反発力調整機構のスプリングガイド８３（アジャスターを含む）が前進状態であり、かつピストン８５が前進状態にあることを示している。図において８２は銃身後方に設けた空間、８４はガイドベース、８４ａはガイドベース８４の雄ねじ部である。
図１３は図１２のピストン８５が後退している状態を示している。このときリコイルスプリング８１は圧縮されている。
図１４はスプリングガイド８３がアジャスターの調整により後退位置にあり、ピストン８５は前進状態にあることを示す。図１２に状態に比べリコイルスプリング８１の反発力は弱い状態にある。
図１５は図１４でのピストン８５が後退した状態を示す。この場合、リコイルスプリングの反発力調整機構が後退しているためピストンが後退していても図１３の場合に比べ、リコイルスプリング８１の反発力は弱い。
上述の各場合、リコイルスプリング（またはピストンスプリング）そのものの能力は同一でも、付加された構造により同スプリングが行う作動性能を可変とすることができる。
【００２７】
（動作）
以下、図９を用いて本考案の玩具銃におけるリコイルスプリングの反発力調整機構６１の動作について説明する。
Ａ．トリガー９１を引くと動力部が作動し、ピストン６３外周下部に設置した下部ギア９３を介してピストン６３を後方に移動させる。
Ｂ．ある位置でピストン６３と動力部の動力ギア９２の連係が外れ、リコイルスプリング６６は、その直前までピストン６３の後退によって圧縮され続けていたことから解放され、ピストン６３をシリンダー６８内において前方に押し戻す。その時、シリンダー６８内部の空気を圧縮し、銃腔９４へ噴射することにより、ＢＢ弾を発射させる。
上記一連の作動において、リコイルスプリング６６は、ピストン６３の後退によって圧縮され。次いで連係を絶たれたのち伸長する。この過程はリコイルスプリング６６が変わらない限りその能力に変化はない。
本考案ではリコイルスプリング６６の前方に位置決め用のアジャスター６７を設置し、その位置を変えることでリコイルスプリング６６を押圧する力を可変とすることとした。
このことは、シリンダー６８の前進スピードにも変化を与え、結果として弾速や、シリンダー６８の前進・後退のサイクルを可変とすることにつながる。
【産業上の利用可能性】
【００２８】
本考案においては、発射サイクルの変化、弾速の変化、ひいては集弾性の向上など、従来製品では出来なかったユーザーのニーズに合致した製品への調整がユーザーにも可能となる。
もちろん前記各実施例の機構や用途に本考案の適用範囲が限定されるものではない。
【符号の説明】
【００２９】
１１  玩具銃におけるリコイルスプリングの反発力調整機構
１２  スプリングガイド
１２ａ  雄ねじ部
１３  筒状アジャスター
１３ａ  雌ねじ部
１４  リコイルスプリング
２１  玩具銃におけるリコイルスプリングの反発力調整機構
２２  スプリングガイド
２２ａ  雄ねじ部
２３  板状アジャスター
２３ａ  雌ねじ部
２４  リコイルスプリング
３１  玩具銃におけるリコイルスプリングの反発力調整機構
３２  スプリングガイド
３２ａ  位置決め孔
３３  筒状アジャスター
３３ａ  ピン孔
３４  止ピン
３４ａ  止ねじ
３５  リコイルスプリング
４１  玩具銃におけるリコイルスプリングの反発力調整機構
４２  スプリングガイド
４２ａ  位置決め孔（図３の３２ａ参照）
４３  筒状アジャスター
４３ａ  ピン孔もしくはねじ孔
４４  止ピン
４４ａ  止ねじ
５１  玩具銃におけるリコイルスプリングの反発力調整機構
５２  スプリングガイド
５３  筒状アジャスター
５３ａ  雌ねじ部
５４  ガイドベース
５４ａ  雄ねじ部
６１  玩具銃におけるリコイルスプリングの反発力調整機構
６２  銃身
６３  ピストン
６４  スプリングガイド
６５  副スプリングガイド
６６  リコイルスプリング
６７  板状アジャスター
６８  シリンダー
７１  玩具銃におけるリコイルスプリングの反発力調整機構
７２  銃身
７３  スプリングガイド
７４  板状アジャスター
７５  ガイド
７６  リコイルスプリング
７８  押圧ねじ
７９  スペーサー
８１  リコイルスプリング
８２  空間
８３  スプリングガイド（アジャスター部を含む）
８４  ガイドベース
８４ａ  ガイドベースの雄ねじ部
８５  ピストン
９１  トリガー
９２  動力ギア
９３  下部ギア
９４  銃腔
１０１  リコイルスプリング
１０２  シリンダー
１０３  ピストン
１０４  スプリングガイド
２０１  リコイルスプリング
２０２  空間
２０３  ピストン
Ｋ  機関部
Ｂ  可動部（ボルト部）
【図１】
0003209071.tif 000003
【図２】
0003209071.tif 000004
【図３】
0003209071.tif 000005
【図４】
0003209071.tif 000006
【図５】
0003209071.tif 000007
【図６】
0003209071.tif 000008
【図７】
0003209071.tif 000009
【図８】
0003209071.tif 000010
【図９】
0003209071.tif 000011
【図１０】
0003209071.tif 000012
【図１１】
0003209071.tif 000013
【図１２】
0003209071.tif 000014
【図１３】
0003209071.tif 000015
【図１４】
0003209071.tif 000016
【図１５】
0003209071.tif 000017
【図１６】
0003209071.tif 000018
【図１７】
0003209071.tif 000019